(57)【要約】【課題】気密検査を終了した配管部分をガス供給用配管に再接続した後、エアパージ作業を特に実施することなく、その配管部分を通してガスを供給できる状態に復旧できるようにする。【解決手段】ガス供給用配管から検査対象の配管部分２を外し、その配管部分に検査用ガスを圧入して、その配管部分の気密性を検査する配管の気密検査方法であって、供給用ガスをガス供給用配管から可撓性と気密性とを備えたガスバッグ１３に取り込んで溜めておき、そのガスバッグに溜めてある供給用ガスを検査用ガスとして、ガス供給用配管における供給圧力よりも高い圧力になるように、ガスバッグを押し縮めながら配管部分に圧入する。【選択図】図６
2007121021.tif 000002
【特許請求の範囲】
【請求項１】
ガス供給用配管から検査対象の配管部分を外し、その配管部分に検査用ガスを圧入して、その配管部分の気密性を検査する配管の気密検査方法であって、
供給用ガスを前記ガス供給用配管から可撓性と気密性とを備えたガスバッグに取り込んで溜めておき、
前記ガスバッグに溜めてある供給用ガスを前記検査用ガスとして、前記ガス供給用配管における供給圧力よりも高い圧力になるように、前記ガスバッグを押し縮めながら前記配管部分に圧入する配管の気密検査方法。
【請求項２】
前記ガス供給用配管が、導管とユーザ宅への供給管とをガスメータを介して接続してある都市ガス供給用配管であって、前記検査対象の配管部分が前記供給管であり、
前記供給管の前記ガスメータに対する接続部を外して、前記ガスバッグに溜めてある都市ガスを、その外した接続部から前記供給管に圧入する請求項１記載の配管の気密検査方法。
【発明の詳細な説明】
【技術分野】
【０００１】
本発明は、ガス供給用配管から検査対象の配管部分を外し、その配管部分に検査用ガスを圧入して、その配管部分の気密性を検査する配管の気密検査方法に関する。
【背景技術】
【０００２】
上記配管の気密検査方法では、従来、ガス供給用配管から外した検査対象の配管部分に検査用ガスとしての空気をエアポンプで圧入して、その配管部分における空気圧の低下状態を圧力計で監視することにより、その配管部分の気密性を検査している（周知慣用手段であり先行技術文献情報を開示できない）。
【発明の開示】
【発明が解決しようとする課題】
【０００３】
このため、気密検査を終了した後の配管部分には検査に使用した空気が残留しており、その配管部分をガス供給用配管に再接続して、配管部分を通してガスを供給できる状態に復旧するには、配管部分に残留している空気を本来供給するべき供給用ガスに置換するエアパージ作業を実施する必要がある。
このエアパージ作業は、配管部分をガス供給用配管に再接続した状態で、その配管部分のガス供給方向下流側を開放して、ガス供給用配管から配管部分に流入する供給用ガスで残留空気を配管部分のガス供給方向下流側から外部に押し出すことにより実施することができるが、例えば、ガス供給用配管が、導管とユーザ宅への供給管とをガスメータを介して接続してある都市ガス供給用配管であって、検査対象の配管部分がユーザ宅への供給管である場合は、エアパージ作業時に担当者がユーザ宅内に立ち入って供給管に接続してあるガス栓を開閉操作する必要があるので、ユーザ宅が留守のような時にはエアパージ作業を実施することができず、その結果、気密検査の実施時期に制約を受け易い欠点がある。
本発明は上記実情に鑑みてなされたものであって、気密検査を終了した配管部分をガス供給用配管に再接続した後、エアパージ作業を特に実施することなく、その配管部分を通してガスを供給できる状態に復旧できるようにすることを目的とする。
【課題を解決するための手段】
【０００４】
本発明の第１特徴構成は、ガス供給用配管から検査対象の配管部分を外し、その配管部分に検査用ガスを圧入して、その配管部分の気密性を検査する配管の気密検査方法であって、供給用ガスを前記ガス供給用配管から可撓性と気密性とを備えたガスバッグに取り込んで溜めておき、前記ガスバッグに溜めてある供給用ガスを前記検査用ガスとして、前記ガス供給用配管における供給圧力よりも高い圧力になるように、前記ガスバッグを押し縮めながら前記配管部分に圧入する点にある。
【０００５】
〔作用及び効果〕
供給用ガスをガス供給用配管から可撓性と気密性とを備えたガスバッグに取り込んで溜めておき、そのガスバッグに溜めてある供給用ガスを検査用ガスとして、ガス供給用配管における供給圧力よりも高い圧力になるように、配管部分に圧入して、その配管部分の気密性を検査するので、気密検査を終了した後の配管部分には本来供給するべき供給用ガスが充満しており、その配管部分をガス供給用配管に再接続した後、エアパージ作業を特に実施することなく、配管部分を通してガスを供給できる状態に復旧できる。
また、供給用ガスをガス供給用配管から可撓性と気密性とを備えたガスバッグに取り込んで溜めておいて、その溜めてある供給用ガスを、ガスバッグを押し縮めながら配管部分に圧入するので、ポンプなどを特に使用することなく、供給圧力よりも高い圧力になるように簡便に圧入し易い。
【０００６】
本発明の第２特徴構成は、前記ガス供給用配管が、導管とユーザ宅への供給管とをガスメータを介して接続してある都市ガス供給用配管であって、前記検査対象の配管部分が前記供給管であり、前記供給管の前記ガスメータに対する接続部を外して、前記ガスバッグに溜めてある都市ガスを、その外した接続部から前記供給管に圧入する点にある。
【０００７】
〔作用及び効果〕
ガス供給用配管が、導管とユーザ宅への供給管とをガスメータを介して接続してある都市ガス供給用配管であって、検査対象の配管部分が供給管であるので、担当者のユーザ宅内への立ち入りを伴うエアパージ作業を特に実施することなく、供給管を通して都市ガスをユーザ宅に供給できる状態に復旧できる。
また、ガスバッグに溜めてある都市ガスを検査用ガスとして供給管に圧入するにあたって、供給管のガスメータに対する接続部を外して、その外した接続部から圧入するので、担当者がユーザ宅内に立ち入ることなく気密検査を実施することができ、気密検査の実施時期に制約を受けにくい。
【発明を実施するための最良の形態】
【０００８】
以下に本発明の実施の形態を図面に基づいて説明する。
図１は、本発明による配管の気密検査方法に使用する検査用治具Ａを示し、図２〜図７は、図外の埋設導管に分岐接続してある入側ガス配管１とユーザ宅への供給管である出側ガス配管２とをガスメータ３を介して接続してある都市ガス供給用配管Ｂにおいて、出側ガス配管２を検査対象の配管部分として、その出側ガス配管２に検査用ガスを圧入して、出側ガス配管２の気密性を検査する本発明による配管の気密検査方法を示している。
【０００９】
前記ガスメータ３は、図２に示すように、入側口金４に入側ガス配管１を入側ユニオン５で接続してあるとともに、出側口金６に出側ガス配管２を出側ユニオン７で接続してあり、入側ガス配管１には遮断弁８を設けてある。
【００１０】
前記検査用治具Ａは、図１に示すように、出側ガス配管２に対する第１接続部９と、ガスメータ３の出側口金６に対する第２接続部１０とを可撓性チューブ１１ａ，１１ｂで三方コック１２に接続するとともに、管内のガス流通を遮断するために使用されている可撓性と気密性とを備えたガスバッグ１３と圧力計１４とを可撓性チューブ１１ｃ，１１ｄで三つ又分岐継ぎ手１５に接続し、更に、三方コック１２と分岐継ぎ手１５とを可撓性チューブ１１ｅで接続し、分岐継ぎ手１５のガスバッグ１３と圧力計１４との接続部分の各々に第１，第２コック１６ａ，１６ｂを設けて構成してある。
【００１１】
前記第１接続部９と第２接続部１０は、第１接続部９について図８に例示してあるように、チューブ１１ａ，１１ｂを気密に挿通してある硬質筒体１７に軟質ゴム製の環状弾性栓部材１８と環状の押え板１９とを外嵌するとともに、栓部材１８の抜け止め用の環状鍔２０を筒体端部に一体形成し、図８（ロ）に示すように、押え板１９を栓部材１８側に押圧することにより栓部材１８を圧縮して拡径変形させる状態と、図８（イ）に示すように、押え板１９に対する押圧を解除して栓部材１８を復帰変形させる状態とに切り換え自在な操作レバー２１を筒体径方向の軸芯周りで揺動自在に支持して構成してある。
【００１２】
上記検査用治具Ａを使用して出側ガス配管２の気密性を検査する方法を説明する。
ユーザ宅側のガスコックの全てを閉じてある状態で、図３に示すように、遮断弁８を閉じて、出側ガス配管２の出側口金６に対する接続部を外し、図４に示すように、第２接続部１０がガスバッグ１３と圧力計１４とに連通するように三方コック１２と第１，第２コック１６ａ，１６ｂとを操作してある検査用治具Ａを使用して、第１接続部９と第２接続部１０を出側ガス配管２と出側口金６の夫々に接続する。
尚、遮断弁８及び第１，第２コック１６ａ，１６ｂは、白抜き表示が開いている状態を示し、黒塗り表示が閉じている状態を示している。
【００１３】
つまり、図８（イ）に示すように、第１接続部９の栓部材１８を縮径状態で出側ガス配管２の端部に挿入した後、図８（ロ）に示すように、操作レバー２１で押え板１９を栓部材１８側に押圧して、栓部材１８を拡径変形させることにより、第１接続部９を出側ガス配管２の内側に気密に接続し、同様に、第２接続部１０を出側口金６の内側に気密に接続する。
【００１４】
次に、図５に示すように、遮断弁８を開いて、入側ガス配管１からの供給用ガスである都市ガスを、ガスメータ３を経由して、ガスバッグ１３内に取り込んで溜めておく。
【００１５】
次に、図６に示すように、遮断弁８を閉じるとともに、ガスバッグ１３と圧力計１４とが第１接続部９に連通するように三方コック１２を操作しておき、ガスバッグ１３に溜めてある都市ガスを検査用ガスとして、都市ガス供給用配管Ｂにおける供給圧力よりも高い圧力になるように、ガスバッグ１３を押し縮めながら、出側口金６から外してある接続部から出側ガス配管２に圧入する。
【００１６】
次に、図７に示すように、第１コック１６ａを閉じておいて、ガス圧の変化を圧力計１４で所定時間に亘って監視し、ガス圧が低下しないときは出側ガス配管２にガス漏れ箇所が無いと判定し、ガス圧が低下したときは出側ガス配管２にガス漏れ箇所があると判定して、必要な対策を講じる。
【００１７】
そして、出側ガス配管２にガス漏れ箇所が無いと判定したときは、第１コック１６ａを開いて出側ガス配管２内の都市ガスの一部をガスバッグ１３に回収した上で、第１接続部９と第２接続部１０の夫々を、操作レバー２１による押え板１９に対する押圧を解除することにより栓部材１８を復帰変形させて、出側ガス配管２と出側口金６の夫々から抜き出し、直ちに、出側ガス配管２を出側口金６に出側ユニオン７で接続するとともに、入側ユニオン５を必要に応じて増し締めして、遮断弁８を開き、図２に示したように、出側ガス配管２を通して都市ガスをユーザ宅に供給できる状態に復旧する。
【００１８】
〔その他の実施形態〕
１．本発明による配管の気密検査方法は、上記実施形態において、出側ガス配管２又はガスメータ３の出側口金６に対して択一的に接続自在な接続部を、三つ又分岐継ぎ手１５を介して、ガスバッグ１３と圧力計１４とに接続してある検査用治具Ａを使用して、接続部を出側口金６に接続して都市ガスをガスバッグ１３に取り込んで溜めておき、その後、接続部を出側ガス配管２に接続して、ガスバッグ１３に溜めてある都市ガスを出側ガス配管２に圧入しても良い。
２．本発明による配管の気密検査方法は、工場などに設置してある各種のガス供給用配管の気密性を検査するために使用しても良い。
【図面の簡単な説明】
【００１９】
【図１】検査用治具の平面図
【図２】気密検査方法の説明図
【図３】気密検査方法の説明図
【図４】気密検査方法の説明図
【図５】気密検査方法の説明図
【図６】気密検査方法の説明図
【図７】気密検査方法の説明図
【図８】要部の断面図
【符号の説明】
【００２０】
２  検査対象の配管部分（供給管）
１３  ガスバッグ
１４  ガスメータ
Ｂ  ガス供給用配管（都市ガス供給用配管）
【図１】
2007121021.tif 000003
【図２】
2007121021.tif 000004
【図３】
2007121021.tif 000005
【図４】
2007121021.tif 000006
【図５】
2007121021.tif 000007
【図６】
2007121021.tif 000008
【図７】
2007121021.tif 000009
【図８】
2007121021.tif 000010